(57)【要約】【課題】  接続試験を行うための試験接続先を設定するためにはユーザが手動で設定するか、固定先を定めておくかしなければならず、前者ではユーザの手間がかかり、後者では接続先限定サービスでは実施できない。【解決手段】  ダイヤルアップ接続のような他の接続システムで設定している接続先情報を表示し、複数ある場合にはそれらの中からユーザに選択させ、試験接続先情報として記憶する。接続試験はその記憶された試験接続先に対して発信し、応答を入力判定することによって行う。【選択図】  図１
2006050438.tif 000002
【特許請求の範囲】
【請求項１】
情報処理装置と、
該情報処理装置に接続し外部とデータ通信を行う通信装置とからなり、
該通信装置は前記情報処理装置の通信接続システムが有する接続先情報により通信を行い、
更に、前記接続先情報を入力して該接続先情報を試験接続先情報とする接続試験手段を有することを特徴とする通信装置の接続試験装置。
【請求項２】
通信装置を接続し、この接続した通信装置を試験する通信装置の接続試験装置であって、この接続試験装置は、
他の通信接続システムと接続し、そのシステムが有する接続先情報を入力する入力部と、
この入力部から入力した前記接続先情報から少なくとも一つの接続先情報を選択して試験接続先情報とする試験接続先選択部と、
前記試験接続先情報を記憶する試験接続先記憶部と、
この試験接続先記憶部に記憶した前記試験接続先情報を用いて前記通信装置の発信を制御する発信制御部と、
前記通信装置の発信動作に対する応答を受信し、この応答から接続の成否を判定する接続判定部と、
この接続判定部が判定した結果を表示する接続結果表示部
とを有することを特徴とする通信装置の接続試験装置。
【請求項３】
通信装置を接続したコンピュータ上で動作し、前記接続した通信装置を試験する通信装置の接続試験ソフトウエアであって、この接続試験ソフトウエアは、
他の通信接続ソフトウエアが有する接続先情報を入力する入力部と、
この入力部から入力した前記接続先情報から少なくとも一つの接続先情報を選択して試験接続先情報とする試験接続先選択部と、
前記試験接続先情報を記憶する試験接続先記憶部と、
この試験接続先記憶部に記憶した前記試験接続先情報を用いて前記通信装置の発信を制御する発信制御部と、
前記通信装置の発信動作に対する応答を受信し、この応答から接続の成否を判定する接続判定部と、
この接続判定部が判定した結果を表示する接続結果表示部
とを有することを特徴とする通信装置の接続試験ソフトウエア。
【請求項４】
前記試験接続先選択部は、前記入力部から入力した前記接続先情報を表示する接続先情報表示部と、
この接続先情報表示部に表示した前記接続先情報から少なくとも一つの接続先情報を選択して試験接続先情報とする試験接続先入力部
とを有することを特徴とする請求項２記載の通信装置の接続試験ソフトウエア。
【請求項５】
前記試験接続先入力部は、前記入力部から入力した前記接続先情報が一である場合には、その一の接続先情報を試験接続先情報とするように構成したことを特徴とする請求項３記載の通信装置の接続試験ソフトウエア。
【請求項６】
通信装置を接続したコンピュータ上で動作し、前記接続した通信装置を試験する通信装置の接続試験ソフトウエアであって、この接続試験ソフトウエアは、
他の通信接続ソフトウエアが有する接続先情報を入力する第１の入力部と、
操作者の操作によって接続先情報を入力する第２の入力部と、
これら第１及び第２の入力部から入力した前記接続先情報から少なくとも一つの接続先情報を選択して試験接続先情報とする試験接続先選択部と、
前記試験接続先情報を記憶する試験接続先記憶部と、
この試験接続先記憶部に記憶した前記試験接続先情報を用いて前記通信装置の発信を制御する発信制御部と、
前記通信装置の発信動作に対する応答を受信し、この応答から接続の成否を判定する接続判定部と、
この接続判定部が判定した結果を表示する接続結果表示部
とを有することを特徴とする通信装置の接続試験ソフトウエア。
【請求項７】
前記他の通信接続ソフトウエアからの接続先情報が前記第１の入力部から入力できなかった場合に、前記第２の入力部が入力可能となるように構成したことを特徴とする請求項５記載の通信装置の接続試験ソフトウエア。
【請求項８】
通信装置を接続し、この接続した通信装置を試験する試験装置における通信装置の接続試験方法であって、
前記通信装置を使用して接続先に接続を行う通信接続システムが有する接続先情報を入力するステップと、
入力した前記接続先情報から少なくとも一つの接続先情報を選択して試験接続先情報とするステップと、
前記試験接続先情報を記憶するステップと、
この記憶した前記試験接続先情報を用いて前記通信装置の発信を制御するステップと、
前記通信装置の発信動作に対する応答を受信し、この応答から接続の成否を判定するステップと、
この判定した結果を表示するステップ
とを備えたことを特徴とする通信装置の接続試験方法。
【請求項９】
通信装置を接続し、この接続した通信装置を試験する試験装置における通信装置の接続試験方法であって、
前記通信装置を使用して接続先に接続を行う通信接続システムが有する接続先情報を入力する第１の入力ステップと、
操作者の操作によって接続先情報を入力する第２の入力ステップと、
これら第１及び第２の入力ステップによって入力した前記接続先情報から少なくとも一つの接続先情報を選択して試験接続先情報とするステップと、
前記試験接続先情報を記憶するステップと、
この記憶した前記試験接続先情報を用いて前記通信装置の発信を制御するステップと、
前記通信装置の発信動作に対する応答を受信し、この応答から接続の成否を判定するステップと、
この判定した結果を表示するステップ
とを備えたことを特徴とする通信装置の接続試験方法。
【請求項１０】
請求項１記載の通信装置の接続試験装置と、
前記他の通信接続システム
とを備えたことを特徴とする通信装置の接続試験コンピュータシステム。
【請求項１１】
請求項２ないし請求項６に記載の通信装置の接続試験ソフトウエアを格納したことを特徴とするコンピュータ読み取り可能な記憶媒体。
【発明の詳細な説明】
【技術分野】
【０００１】
本発明は通信装置の接続試験装置に関わる。
【背景技術】
【０００２】
従来では、特開平５−２６０１５１号公報（特許文献１）に記載のように、自動発信装置として、あらかじめ発信先電話番号登録部に登録されている通信相手先の電話番号に従って発信を行う装置が開示されている。この装置は試験発信を行う機能も有し、試験発信結果を報知する機能を有することも開示されている。
【０００３】
また、特開平１１−２２５１９７号広報（特許文献２）には、電話機設置時の回線開通試験を自動的に行う機能を有する自動試験機能付電話機として、自動的に試験実施依頼の特殊電話番号へ発信する発信部を備え、接続後には試験システムからの応答を自動認識することによってその後の試験を行う装置が開示されている。
【０００４】
また、業界においてはダイヤルアップ接続によるインターネット接続サービスのように、特定の電話番号がアクセスポイントとして設定されており、加入者装置はそれらのアクセスポイントに接続できるという前提のもとに、それらのアクセスポイントの電話番号をあらかじめ設定しておき、接続試験時にはそれらの電話番号に発信するという試験用ソフトウエアは実用化されユーザに提供されている。
【０００５】
一方、移動体通信サービスの一種として、接続先を限定することによって料金を低く抑えたサービスが提供されている。このサービスではユーザは接続先をたとえば３カ所選択し、それをシステムに登録しておく。発信はその３カ所にしか行うことができない。このサービスのもとでは、接続試験を行うとき、ユーザが設定する接続先がそれぞれにおいて異なるため、あらかじめ定められた固定的なアクセスポイントに接続して行うということはできない。
【特許文献１】特開平５−２６０１５１号公報
【特許文献２】特開平１１−２２５１９７号公報
【発明の開示】
【発明が解決しようとする課題】
【０００６】
通信装置の接続試験は、ある電話番号に発信し、その発信に対して接続できたことを示す応答を受信することで行うことができる。そのためには、必ず接続できる接続先を定めておく必要がある。
【０００７】
特許文献１に開示されている装置では、あらかじめ発信先電話番号登録部に通信相手先の電話番号が登録されていることが記載されている。しかし通信相手先の電話番号を登録する手段については開示されていない。
【０００８】
特許文献２に開示されている装置では、特殊な電話番号に発信することが記載されている。しかしその特殊な電話番号以外の電話番号を設定することについては記載されていない。
【０００９】
また、業界で実施されている試験用ソフトウエアも、固定的なアクセスポイントに対して発信するのみである。
【００１０】
以上のように従来の装置では、ユーザがあらかじめ接続先を登録しておくか、あるいは接続先として固定の接続先を定めておく程度の方法が開示されているにすぎない。接続試験は障害が発生した場合にのみ行うのであり定常的に実施することではない。そのような場合に接続先を設定するという行為は、ユーザとしては避けたいという要求がある。後者の場合は、接続先として固定の接続先を定めておくのであるから、ユーザの手を煩わすことはないが、接続先が限定されるサービスの元では実施は不可能である。接続先はユーザが登録するのであり、試験装置が期待する固定の接続先が登録されることはないからである。
【００１１】
本発明は従来の装置の有する上記課題を解決するためになされたものであり、その目的は通信装置の接続試験を行うにあたり、試験接続先を容易に設定できる通信装置の接続試験装置を実現することである。しかもその試験接続先は、たとえ接続先限定サービスのように接続先が限られた範囲のものであっても、その中から接続先を容易に設定できる通信装置の接続試験装置を実現することである。
【課題を解決するための手段】
【００１２】
本発明による通信装置の接続試験装置は、通信装置を接続し、この接続した通信装置を試験する通信装置の接続試験装置であって、他の通信接続システムと接続し、そのシステムが有する接続先情報を入力する入力部と、この入力部から入力した前記接続先情報から少なくとも一つの接続先情報を選択して試験接続先情報とする試験接続先選択部と、前記試験接続先情報を記憶する試験接続先記憶部と、この試験接続先記憶部に記憶した前記試験接続先情報を用いて前記通信装置の発信を制御する発信制御部と、前記通信装置の発信動作に対する応答を受信し、この応答から接続の成否を判定する接続判定部と、この接続判定部が判定した結果を表示する接続結果表示部とを設けたことを特徴とする。
【００１３】
また本発明による通信装置の接続試験ソフトウエアは、通信装置を接続したコンピュータ上で動作し、前記接続した通信装置を試験する通信装置の接続試験ソフトウエアであって、他の通信接続ソフトウエアが有する接続先情報を入力する入力部と、この入力部から入力した前記接続先情報から少なくとも一つの接続先情報を選択して試験接続先情報とする試験接続先選択部と、前記試験接続先情報を記憶する試験接続先記憶部と、この試験接続先記憶部に記憶した前記試験接続先情報を用いて前記通信装置の発信を制御する発信制御部と、前記通信装置の発信動作に対する応答を受信し、この応答から接続の成否を判定する接続判定部と、この接続判定部が判定した結果を表示する接続結果表示部とを設けたことを特徴とする。
【００１４】
この通信装置の接続試験ソフトウエアでは、試験接続先選択部を、前記入力部から入力した前記接続先情報を表示する接続先情報表示部と、この接続先情報表示部に表示した前記接続先情報から少なくとも一つの接続先情報を選択して試験接続先情報とする試験接続先入力部とによって構成することができる。
【００１５】
また、前記試験接続先入力部は、前記入力部から入力した前記接続先情報が一である場合には、その一の接続先情報を試験接続先情報とするように構成することもできる。
【００１６】
さらに本発明による通信装置の接続試験ソフトウエアは、通信装置を接続したコンピュータ上で動作し、前記接続した通信装置を試験する通信装置の接続試験ソフトウエアであって、他の通信接続ソフトウエアが有する接続先情報を入力する第１の入力部と、操作者の操作によって接続先情報を入力する第２の入力部と、これら第１及び第２の入力部から入力した前記接続先情報から少なくとも一つの接続先情報を選択して試験接続先情報とする試験接続先選択部と、前記試験接続先情報を記憶する試験接続先記憶部と、この試験接続先記憶部に記憶した前記試験接続先情報を用いて前記通信装置の発信を制御する発信制御部と、前記通信装置の発信動作に対する応答を受信し、この応答から接続の成否を判定する接続判定部と、この接続判定部が判定した結果を表示する接続結果表示部とを設けたことを特徴とする。
【００１７】
この通信装置の接続試験ソフトウエアでは、前記他の通信接続ソフトウエアからの接続先情報が前記第１の入力部から入力できなかった場合に、前記第２の入力部が入力可能となるように構成することができる。
【００１８】
また、上記各構成に基づく通信装置の接続試験装置または接続試験ソフトウエアと、他の通信システムとをコンピュータに備えて、通信装置の接続試験コンピュータシステムを構成することができる。
【００１９】
また本発明による通信装置の接続試験方法は、通信装置を接続し、この接続した通信装置を試験する試験装置における通信装置の接続試験方法であって、前記通信装置を使用して接続先に接続を行う通信接続システムが有する接続先情報を入力するステップと、入力した前記接続先情報から少なくとも一つの接続先情報を選択して試験接続先情報とするステップと、前記試験接続先情報を記憶するステップと、この記憶した前記試験接続先情報を用いて前記通信装置の発信を制御するステップと、前記通信装置の発信動作に対する応答を受信し、この応答から接続の成否を判定するステップと、この判定した結果を表示するステップとを備えたことを特徴とする。
【００２０】
また本発明による通信装置の接続試験方法は、通信装置を接続し、この接続した通信装置を試験する試験装置における通信装置の接続試験方法であって、前記通信装置を使用して接続先に接続を行う通信接続システムが有する接続先情報を入力する第１の入力ステップと、操作者の操作によって接続先情報を入力する第２の入力ステップと、これら第１及び第２の入力ステップによって入力した前記接続先情報から少なくとも一つの接続先情報を選択して試験接続先情報とするステップと、前記試験接続先情報を記憶するステップと、この記憶した前記試験接続先情報を用いて前記通信装置の発信を制御するステップと、前記通信装置の発信動作に対する応答を受信し、この応答から接続の成否を判定するステップと、この判定した結果を表示するステップとを備えたことを特徴とする。
【００２１】
また、本発明のコンピュータ読み取り可能な記憶媒体は、本発明の接続試験ソフトウエアを格納したことを特徴とする。
【発明の効果】
【００２２】
以上説明したように、本発明による通信装置の接続試験装置によれば、他の通信システムから接続先情報を入力、選択して試験接続先情報として記憶するので、試験接続先の設定を容易に行うことができる。
【００２３】
また他の通信システムからの接続先情報が一つであれば、選択することなく試験接続先情報として記憶するので、試験接続先の設定はさらに容易になる。
【００２４】
また他の通信システムからの接続先情報がなければ手動で試験接続先を入力することができるので、試験接続先は必ず設定することができる。
【００２５】
また本発明による通信装置の接続試験ソフトウエア、接続試験方法及び接続試験コンピュータシステムにおいても接続試験装置同等の効果を有する。特に接続試験コンピュータシステムは、接続試験装置または接続試験ソフトウエアと通信接続システムが一体に格納されるため小型の接続試験システムを構成することが可能となる。
【発明を実施するための最良の形態】
【００２６】
図１は本発明による接続試験装置を含むシステムのブロック図である。
【００２７】
まずシステムのハードウエア構成について説明する。１はコンピュータであり、インタフェースとしてＰＣカードインタフェース５０を有する。ＰＣカードインタフェース５０はコンピュータ１の外部にＰＣカード規格の外部装置を接続するためのインタフェースである。
【００２８】
２は被試験装置であるデータ通信カードである。このデータ通信カード２はＰＣカード規格で定められた形状およびインタフェースを有する。無線で外部基地局との間の通信を行い、前記ＰＣカードインタフェース５０によってコンピュータ１との間の通信を行うことによって、コンピュータ１と前記基地局が接続された外部ネットワークとの間の通信を行う機能を有する。
【００２９】
データ通信カード２はＰＣカードインタフェース５０から入力されるコマンドによって発信の制御が行われる。ＡＴコマンドと呼ばれるコマンド体系が標準として定められており、ダイヤルコマンドＡＴＤ＊＊＊＊＊＊（ここで＊＊＊＊＊＊は電話番号）が入力されると電話番号＊＊＊＊＊＊に発信する。データ通信カード２は発信した結果、接続の成否に基づく応答をＰＣカードインタフェース５０を介してコンピュータに返す。標準的には接続できた場合には文字列「ＣＯＮＮＥＣＴ」を応答するようになっている。コンピュータ１は、この応答を入力することによって接続できたか否かを知ることができる。
【００３０】
なおデータ通信カード２は外部ネットワークとの間の通信を無線で行うものでなく有線電話網に接続する通信カードであってもよく、また形状についてもカード状に限定されない。
【００３１】
図１ではハードウエア構成として、コンピュータ１に接続された汎用の入出力機器類は省略しているが、キーボードやディスプレイ等は接続されているものとする。ただし、これらの汎用入出力機器は、本願発明を特徴付けるものではない。
【００３２】
本実施例に基づく接続試験装置はマイクロソフト社製のＷｉｎｄｏｗｓ（登録商標）オペレーティングシステム（以後ＯＳと略して呼ぶ）上で動作するアプリケーションソフトウエア、具体的には通信カードの診断プログラムとして実現している。この通信カードの診断プログラムは、説明は省略するが接続試験の他に種々の診断プログラムを含んだもので、接続試験ソフトウエアはその診断プログラムの一つの機能として実装されている。
【００３３】
では次にこの接続試験ソフトウエアの構成について説明する。図１において１０が接続試験装置に相当する接続試験ソフトウエアである。アプリケーションソフトウエアは一般的にはソフトウエアドライバと呼ばれるサービスプログラムによってハードウエアと接続されるように構成される。本実施例においてはＰＣカードインタフェース５０に接続されたデータ通信カード２は、ソフトウエアドライバ６０を介して接続試験ソフトウエア１０に接続されている。ソフトウエアドライバ６０は、ＰＣカードインタフェース５０を扱うドライバ、データ通信カード２を扱うドライバなど個別のハードウエアの動作を扱うドライバの集合である。また、アプリケーションソフトウエアは、ソフトウエアインタフェースを介してＯＳとの間でデータの交換を行うことができるようになっている。
【００３４】
次に接続試験装置の内部構造について説明する。接続試験ソフトウエアとしての基本的な構成は、試験接続先記憶部１４、発信制御部１５、応答受信部１６、応答判定部１７と判定結果表示部１８で構成されている。
【００３５】
発信制御部１５は試験接続先記憶部１４と接続されており、ここから試験接続先についての情報、具体的には電話番号を得る。そしてその電話番号先に発信を行う。発信は、データ通信カード２について説明したように、ＡＴコマンドに電話番号を付加した発信コマンドをデータ通信カード２に送信することによって行う。ここで送信されたＡＴコマンドはソフトウエアドライバ６０とＰＣカードインタフェース５０を経由してデータ通信カード２に送信される。
【００３６】
ＡＴコマンドはデータ通信カード２に入力され、解釈されてデータ通信カード２が発信動作を行う。そして接続の成否に応じてデータ通信カード２はコンピュータ1に応答を返す。具体的にはすでに説明したように、成功した場合は文字列「ＣＯＮＮＥＣＴ」を返し、接続が失敗した場合には「ＮＯ  ＣＡＲＲＩＥＲ」を返すことが一般的である。
【００３７】
これらの応答は、ＰＣカードインタフェース５０とソフトウエアドライバ６０を経由して接続試験ソフトウエア１０に入力される。接続試験ソウフトウエア１０の応答受信部１６は、この応答を受信し、接続されている応答判定部１７にこの応答を送信する。
【００３８】
応答判定部１７は受信した応答を判定し、応答が接続成功によるものか否かを判定する。具体的には受信した文字列が「ＣＯＮＮＥＣＴ」であるか否かを判定する。応答判定部１７はこの判定結果を接続されている判定結果表示部１８に送信する。そして最後に判定結果表示部１８が、入力した判定結果を表示する。接続成功であれば「ＯＫ」の表示を行い、接続失敗であれば「ＮＧ」の表示を行う。接続試験を行うユーザはこの表示結果により接続先への接続ができたか否かを知ることができるということになる。なおこの実施例においては、判定結果の表示は視覚による表示として説明しているが、表示は聴覚や触覚等、他の感覚に刺激を与えるものも含むものとする。いずれの表示においても操作者に判定結果を通知することはできる。
【００３９】
ここまでの構成は接続試験ソフトウエアの基本的な部分についての説明である。次に本願に特徴的な構成について説明するが、その前に他のアプリケーションソフトウエアである、ダイヤルアップ接続ソウフトウエアについて説明しておく。図１では７０がダイヤルアップ接続ソフトウエアである。このソフトウエアはＷｉｎｄｏｗｓ（登録商標）では標準的に備えられているもので、内部に接続先情報７１として、接続先の電話番号、インターネットに接続するための認証情報などの情報を記憶している。そしてユーザが選択した接続先に発信し、接続したらインターネットに接続する機能を有する。データ通信機器との間は接続されたハードウエアインタフェースと、それらのハードウエアに固有のソフトウエアドライバを経由して接続される。図１では一例としてデータ通信カード２を介して接続する場合を示しているが、ソフトウエアドライバ６０を介してデータ通信カード２により接続できるようになっている。
【００４０】
では再び接続試験装置の内部構造について説明を続ける。入力部１１は前記ダイヤルアップ接続ソフトウエア７０が記憶している接続先情報７１を入力する機能を有する。すでに説明したようにソフトウエアインタフェースを介してＯＳを経由して情報を得るようになっている。
【００４１】
接続先情報表示部１２は入力部１１に接続され、入力した接続先情報を表示する。表示は図１では図示していないディスプレイ上に行われる。この表示の具体的なイメージを図２に示す。図２は接続試験ソフトウエアの接続先の選択画面が表示されている状態を示したものである。接続先情報表示部１２は接続先の名前を表示する名前欄２０と電話番号欄２１とから成る。図２では３カ所の接続先が表示されている状態を示している。３カ所より少ない場合は、表示されない欄は空欄となる。逆に３カ所より多い場合は、スクロールバー２２が有効となり、このスクロールバーをマウスカーソル２３を当てて操作することにより、隠れた接続先情報を表示させることができるようになっている。
【００４２】
図１に戻って説明を続けると、試験接続先入力部１３は接続先情報表示部１２と接続され、ここに表示された接続先情報の中から一つの接続先を選択する。そして選択した接続先情報を、接続された試験接続先記憶部１４に記憶する。
【００４３】
図２の画面では、マウスカーソル２３による選択機能が試験接続先入力部１３に相当する。マウスカーソル２３を選択したい名前欄または電話番号欄に移動させ、図示しないマウスのボタンをクリックする（押す）ことによってマウスカーソルが置かれていた接続先情報が選択されるようになっている。このとき選択された接続先情報の名前欄及び電話番号欄はハイライト表示され、選択されたことがユーザに明示される。この状態で「次へ」ボタン２５をクリックすると選択は確定され、前述のように選択先情報は試験接続先記憶部１４に記憶され、図２の画面は試験を続けるための次の画面に切り替わる。
【００４４】
選択動作を行った後に「キャンセル」ボタンまたは「戻る」ボタンをクリックすれば選択動作は取り消され、「戻る」ボタンの場合は図２以前の画面に遷移する。
【００４５】
試験接続先記憶部１４に記憶された接続先情報を用いて接続試験を行うための構造についてはすでに説明した通りである。
【００４６】
入力部１１から入力できた接続先情報が１カ所についてのみである場合には、名前欄２０と電話番号欄２１には、その１カ所の接続先情報が表示されるだけである。このような場合には、ユーザにその情報をわざわざ選択させるまでもなく、試験接続先入力部１３が自動的にそれを選択し試験接続先記憶部１４に記憶させるように構成してもよく、ユーザの操作の手間を省くことができる。またこのとき、ユーザにそのような状態であることを明示するためにポップアップウインドウ（自動的に表示されるウインドウ）を開いてメッセージを表示するようすればユーザを惑わすことなく次の操作に導くことができる。
【００４７】
さて、以上のように構成した通信カードの診断プログラムについて、その動作をフローチャートで示せば図４のようになる。まずステップ１でダイヤルアップ接続ソフトウエアのような接続システムから接続先情報を入力し、ステップ２でこれを表示する。表示に基づいてユーザが一つの接続先を選択するので、ステップ３でそれを試験接続先として入力し、ステップ４でそれを記憶する。ステップ５では記憶した試験接続先に対して発信制御を行い、ステップ６で発信に対する応答を受信する。最後に受信した応答をステップ７で判定し、ステップ８で判定結果を表示する。
【００４８】
なお、図４に示したフローは一例を示したものであって、処理順の大要はこの手順に従うものの、処理を分割して、それぞれ分割された部分が別個のタイミングで動作するようにしてもよい。たとえば、接続先情報を表示して試験接続先として選択させ記憶するまでのステップ１からステップ４までの処理は接続試験ごとに行わなくてもよく、たとえばこの診断プログラムがコンピュータにセットアップされたときに初期化処理として動作させておき、接続試験時にはステップ５からステップ８までを行うように構成してもよい。
【００４９】
この例のように処理手順についてはいくつかの変更が可能であるから、ステップ４で試験接続先を記憶する処理も、ステップ１からステップ４までを初期化時に行う場合は、ある時間継続的に記憶することになるし、一方、ステップ１からステップ８までを接続試験時に一連の処理として行う場合には、一時的に記憶するだけでもよい。これらに関してどのように構成するかは設計事項として任意に選択すればよい。
【００５０】
図２に示した表示に関するイメージ図では、ダイヤルアップ接続ソフトウエア７０から入力した接続先情報を表示し選択する手段の他に、接続先の電話番号をキーボード等から直接入力できる欄２４も設けている。ダイヤルアップ接続ソフトウエア７０に何も接続先情報を設定しておらず、入力部１１から接続先情報が得られない場合は、この欄２４に直接接続先の電話番号を入力し、入力された電話番号を試験接続先記憶部１４に記憶するように構成する。このように構成することによって、外部のアプリケーションソフトウエアから接続先の情報が得られない場合であっても、試験接続先の情報を確実に設定することができる。
【００５１】
なお、この接続先の電話番号を入力する欄２４は、入力部１１から接続先情報が得られない場合にのみ入力可能となるように構成しても、あるいは入力部１１から接続先情報が得られた場合でも入力可能となるように構成しても、いずれでもよい。後者の場合は、欄２４に直接入力した接続先情報を優先的に試験接続先記憶部１４に記憶するように構成しても、あるいはマウスカーソル２３によって名前欄２０と電話番号２１に表示された接続先情報と欄２４の中から選択するように構成してもいずれでもよく、そのほかにも種々のユーザインタフェースが考えられるので設計条件により方法を選択すればよい。
【００５２】
これらの処理をフローチャートで示すと図５及び図６のようになる。図５ではまずステップ１１でダイヤルアップ接続ソフトウエアのような接続システムから接続先情報を入力する。この処理は図４に示したフローチャートと同じである。次にステップ１２で上述のように接続先の電話番号をキーボード等から直接入力する処理を行っている。続いてステップ１３で入力した接続先情報を表示する。この場合ステップ１１で入力した他の通信システムからの接続先情報と、ステップ１２で操作者が入力した接続先情報の両方を表示する。そしてステップ１４でこれらの接続先情報から選択した試験接続先を入力する。ステップ４以降の処理は図４に示したフローチャートと同じである。
【００５３】
この実施例の場合は、操作者が入力する接続先情報をステップ１２として必ず入力するようにしているが、すでに説明したようにステップ１１で他の通信システムから接続先情報を得ることができるか否かによって、操作者の直接入力を可能とするかどうかを切り替えるようにしてもよい。
図６のフローチャートはそのように変更した一実施例である。まずステップ１１では他の通信システムから接続先情報を入力する。続いてステップ１３ではステップ１１で接続先情報があるか否かを判定し、判定結果によって処理を分岐する。接続先情報があると判定した場合にはステップ２以降を実行する。この場合は図４に示したフローと同等となる。ステップ１３において接続先情報がないと判定した場合にはステップ１２に分岐して操作者が入力する接続先情報を入力する。そしてこの場合は、試験接続先を選択する必要はないので、ステップ４に戻って続く処理を実行する。すでに説明したように、この周辺の処理は設計条件によって適宜処理手順を変更することができる。
（その他の実施の形態）
最後に、本願発明について各部に変更を加えたいくつかの他の実施例について説明を加えておく。
【００５４】
まず、以上説明した通信装置の接続試験ソフトウエアは、被試験通信装置としてＰＣカード型のデータ通信カードを想定したものであった。そのためにコンピュータと通信装置との間のインタフェースはＰＣカードインタフェースであったが、通信装置と試験装置間のインタフェースは限定されるものではなく、他のインタフェースであっても本願発明は同様に実施できる。たとえば据え置き型のモデム装置はコンピュータとＲＳ−２３２Ｃインタフェースで接続されることが多いが、その場合はインタフェースを図３に示すようにＲＳ−２３２Ｃインタフェース５１とし、対応するソフトウエアドライバをシリアルドライバを含んだソフトウェアドライバ６１に変更すればよい。接続試験ソフトウエア自身の構成は、前記実施例と変わることはない。通信装置と試験装置間のインタフェースは適宜設計によって定めればよい。
【００５５】
次に、通信装置と接続先情報との関係について説明する。本願発明が関係する通信装置のようなコンピュータデバイスに関して、ＯＳにはそのデバイス情報が記憶されている。デバイス情報の記憶は、デバイスのインストール時に行われる。そして、接続先情報にもデバイス情報が付加され、ある接続先情報はどのデバイスを使って通信するものであるかを識別することができるようになっている。従って、ダイヤルアップ接続のような接続システムから接続先情報を入力するときには、試験対象となる通信装置に対する接続先情報を選択して入力できるようにすればよい。
【００５６】
この処理をフローチャートで示すと図７のようになる。このフローチャートは図４に示したフローチャートのうち、ステップ１とステップ２の部分を詳細な処理に展開して示したものである。
【００５７】
まず、ステップ２１では登録されている接続先情報から一つの接続先情報を入力する。この接続先情報には上述のように接続されている被試験通信装置のデバイス情報が含まれているので、ステップ２２でその接続先情報が被試験通信装置用のものであるかどうかを判定し、判定の結果Ｙｅｓであればステップ２３でその接続先情報を表示する。ステップ２２の結果がＮｏであればこの接続先情報は被試験通信装置用のものではないとして表示を行わない。この処理を接続先の全てについてステップ２４で終了を判定するまでくりかえし行い、終了したら次の処理、図４のフローチャートで言えばステップ３以降の処理を続行する。このようにして被試験通信装置用の接続先情報の中から試験接続先を選択することができる。
【００５８】
次に、試験接続先については、いくつかの接続先の中から一つを選択してそれを試験接続先とする実施例について説明したが、試験接続先については複数の接続先を選択してそれらを使うように構成してもよい。この場合、実際に接続試験を行うにあたっては、複数の試験接続先の中からどの接続先を使うのか選択させるように構成しても、または自動的にある基準でソートすることによって、その順序に従って接続を行うようにしてもよい。その他種々の変更が考えられる。
【００５９】
上述した実施の形態の機能を実現するために、コンピュータに対し上記実施の形態の機能を実現するための接続試験ソフトウェアのプログラムコードを供給し、そのコンピュータに格納されたプログラムに従って動作させることによって実施したものも、本発明の範疇に含まれる。
【００６０】
また、この場合、プログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００６１】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６２】
なお、上記実施の形態において示した各部の形状及び構造は、何れも本発明を実施するにあたっての具体化のほんの一例を示したものに過ぎず、これらによって本発明の技術的範囲が限定的に解釈されてはならない。すなわち、本発明はその精神、又はその主要な特徴から逸脱することなく、様々な形で実施することがで きる。
【図面の簡単な説明】
【００６３】
【図１】本発明による通信装置の接続試験ソフトウエアを含むコンピュータシステムの構成説明図である。
【図２】本発明による通信装置の接続試験ソフトウエアの画面説明図である。
【図３】本発明による通信装置の接続試験ソフトウエアを含むコンピュータシステムの第２の実施例の構成説明図である。
【図４】本発明による通信装置の接続試験ソフトウエアの一実施例によるフローチャートである。
【図５】本発明による通信装置の接続試験ソフトウエアの他の一実施例によるフローチャートである。
【図６】本発明による通信装置の接続試験ソフトウエアの他の一実施例によるフローチャートである。
【図７】本発明による通信装置の接続試験ソフトウエアの他の一実施例によるフローチャートの一部である。
【符号の説明】
【００６４】
１・・・コンピュータ
２・・・データ通信カード
１０・・・接続試験ソフトウエア
１１・・・入力部
１２・・・接続先情報表示部
１３・・・試験接続先入力部
１４・・・試験接続先記憶部
１５・・・発信制御部
１６・・・応答受信部
１７・・・応答判定部
１８・・・判定結果表示部
５０・・・ＰＣカードインタフェース
６０・・・ソフトウエアドライバ
７０・・・ダイヤルアップ接続ソフトウエア
７１・・・接続先情報
【図１】
2006050438.tif 000003
【図２】
2006050438.tif 000004
【図３】
2006050438.tif 000005
【図４】
2006050438.tif 000006
【図５】
2006050438.tif 000007
【図６】
2006050438.tif 000008
【図７】
2006050438.tif 000009